【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
複数のフレームからなる動画データを生成する生成手段と、
位置情報を取得する取得手段と、
前記取得手段により取得される位置情報を、前記生成手段により生成される動画データの複数のフレームのうち対応するフレームに対応付ける対応付け手段と、
前記取得手段による位置情報を取得する機能を有効にするか無効にするかの設定を切り替える指示を受け付ける受け付け手段と、
を有し、
前記対応付け手段は、前記位置情報を取得する機能が有効であるか否かに基づく情報を前記複数のフレームに対応付けることを特徴とする画像処理装置。
【請求項２】
前記対応するフレームは時間情報に基づき決定されることを特徴とする請求項１に記載の画像処理装置。
【請求項３】
前記位置情報を取得する機能が有効であるか否かに基づく情報は、前記位置情報を取得する機能が有効であることを示す情報と、前記位置情報を取得する機能が無効であることを示す情報とを含むことを特徴とする請求項１または２に記載の画像処理装置。
【請求項４】
前記対応付け手段は、位置情報が対応付けられるフレームには、前記位置情報を取得する機能が有効であるか否かに基づく情報を対応付けないことを特徴とする請求項１から３のいずれか１項に記載の画像処理装置。
【請求項５】
前記位置情報を取得する機能は、ＧＰＳ衛星からの信号を受信して位置情報を算出する機能を含むことを特徴とする請求項１から４のいずれか１項に記載の画像処理装置。
【請求項６】
位置情報が対応付けられていないフレームの位置情報を補間する補間手段を更に有し、
前記補間手段は、前記位置情報が対応付けられていないフレームに前記位置情報を取得する機能が無効であることを示す情報を含む場合、前記位置情報が対応付けられていないフレームの位置情報を補間しないことを特徴とする請求項１から５のいずれか１項に記載の画像処理装置。
【請求項７】
前記補間手段は、前記動画データから一部のフレームを切り出す際に、切り出されるフレームのうち、位置情報が対応付けられておらずかつ前記位置情報を取得する機能が無効であることを示す情報を含まないフレームの位置情報を補間することを特徴とする請求項６に記載の画像処理装置。
【請求項８】
前記補間手段は、前記動画データのうちの位置情報が対応付けられておらずかつ前記位置情報を取得する機能が無効であることを示す情報を含まないフレームに、前記動画データのうちの他のフレームの位置情報を対応付けることを特徴とする請求項６または７に記載の画像処理装置。
【請求項９】
前記補間手段は、前記動画データのうちの位置情報が対応付けられておらずかつ前記位置情報を取得する機能が無効であることを示す情報を含まないフレームに、前記動画データのうち、記録時間が最も近い他のフレームの位置情報を対応付けることを特徴とする請求項６から８のいずれか１項に記載の画像処理装置。
【請求項１０】
前記補間手段は、前記動画データのうちの位置情報が対応付けられておらずかつ前記位置情報を取得する機能が無効であることを示す情報を含まないフレームの記録時間を基準として決定される２以上のフレームそれぞれに対応付けられている位置情報に基づき、前記位置情報が対応付けられておらずかつ前記位置情報を取得する機能が無効であることを示す情報を含まないフレームに対応付ける位置情報を決定することを特徴とする請求項６から９のいずれか１項に記載の画像処理装置。
【請求項１１】
位置情報を取得する機能を有する画像処理装置の制御方法であって、
前記位置情報を取得する機能を有効にするか無効にするかの設定を切り替える指示を受け付ける受け付けステップと、
複数のフレームからなる動画データを生成する生成ステップと、
前記位置情報を、前記動画データの複数のフレームのうち対応するフレームに対応付ける対応付けステップと、
を有し、
前記対応付けステップでは、前記位置情報を取得する機能が有効であるか否かに基づく情報を前記複数のフレームに対応付けることを特徴とする画像処理装置の制御方法。
【請求項１２】
前記対応するフレームは時間情報に基づき決定されることを特徴とする請求項１１に記載の画像処理装置の制御方法。
【請求項１３】
前記位置情報を取得する機能が有効であるか否かに基づく情報は、前記位置情報を取得する機能が有効であることを示す情報と、前記位置情報を取得する機能が無効であることを示す情報とを含むことを特徴とする請求項１１または１２に記載の画像処理装置の制御方法。
【請求項１４】
前記位置情報が対応付けられるフレームには、前記位置情報を取得する機能が有効であるか否かに基づく情報を対応付けないことを特徴とする請求項１１から１３のいずれか１項に記載の画像処理装置の制御方法。
【請求項１５】
前記位置情報を取得する機能は、ＧＰＳ衛星からの信号を受信して位置情報を算出する機能を含むことを特徴とする請求項１１から１４のいずれか１項に記載の画像処理装置の制御方法。
【請求項１６】
位置情報が対応付けられていないフレームに前記位置情報を取得する機能が無効であることを示す情報を含まない場合、前記位置情報が対応付けられていないフレームの位置情報を補間する補間ステップをさらに有し、
前記補間ステップでは、前記位置情報が対応付けられていないフレームに前記位置情報を取得する機能が無効であることを示す情報を含む場合、前記位置情報が対応付けられていないフレームの位置情報を補間しないことを特徴とする請求項１１から１５のいずれか１項に記載の画像処理装置の制御方法。
【請求項１７】
前記補間ステップでは、前記動画データから一部のフレームを切り出す際に、切り出されるフレームのうち、位置情報が対応付けられておらずかつ前記位置情報を取得する機能が無効であることを示す情報を含まないフレームの位置情報を補間することを特徴とする請求項１６に記載の画像処理装置の制御方法。
【請求項１８】
前記補間ステップでは、前記動画データのうちの位置情報が対応付けられておらずかつ前記位置情報を取得する機能が無効であることを示す情報を含まないフレームに、前記動画データのうちの他のフレームの位置情報を対応付けることを特徴とする請求項１６または１７に記載の画像処理装置の制御方法。
【請求項１９】
前記補間ステップでは、前記動画データのうちの位置情報が対応付けられておらずかつ前記位置情報を取得する機能が無効であることを示す情報を含まないフレームに、前記動画データのうち、記録時間が最も近い他のフレームの位置情報を対応付けることを特徴とする請求項１６から１８のいずれか１項に記載の画像処理装置の制御方法。
【請求項２０】
前記補間ステップでは、前記動画データのうちの位置情報が対応付けられておらずかつ前記位置情報を取得する機能が無効であることを示す情報を含まないフレームの記録時間を基準として決定される２以上のフレームそれぞれに対応付けられている位置情報に基づき、前記位置情報が対応付けられておらずかつ前記位置情報を取得する機能が無効であることを示す情報を含まないフレームに対応付ける位置情報を決定することを特徴とする請求項１６から１９のいずれか１項に記載の画像処理装置の制御方法。
【請求項２１】
コンピュータを、請求項１から１０のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置、画像処理装置の制御方法及びプログラム
【手続補正３】
【補正対象書類名】明細書
【補正対象項目名】０００１
【補正方法】変更
【補正の内容】
【０００１】
本発明は、画像処理装置、画像処理装置の制御方法及びプログラムに関する。
【手続補正４】
【補正対象書類名】明細書
【補正対象項目名】０００６
【補正方法】変更
【補正の内容】
【０００６】
本発明の画像処理装置は、複数のフレームからなる動画データを生成する生成手段と、
位置情報を取得する取得手段と、前記取得手段により取得される位置情報を、前記生成手段により生成される動画データの複数のフレームのうち対応するフレームに対応付ける対応付け手段と、前記取得手段による位置情報を取得する機能を有効にするか無効にするかの設定を切り替える指示を受け付ける受け付け手段と、を有し、前記対応付け手段は、前記位置情報を取得する機能が有効であるか否かに基づく情報を前記複数のフレームに対応付けることを特徴とする。